(57)【要約】　　　（修正有）【課題】粗集桝における粗集バスケットの清掃作業を軽減し、排水中にふくまれる固形物の粗集機能を簡単に回復せしめ得る新規な粗集バスケットを提供することである。【解決手段】本発明に係る粗集バスケット１は、耐水性樹脂をコーティングするとともに所要のパンチング孔２を穿孔してなる厚紙を、有底の筒状に成型したものである。【選択図】図１
2004124679.tif 000002
【特許請求の範囲】
【請求項１】
粗集桝に据付ける粗集バスケットであって、耐水性樹脂をコーティングするとともに所要のパンチング孔を穿孔してなる厚紙を、有底の筒状に成型したことを特徴とする粗集バスケット。
【請求項２】
粗集バスケットの側面に、粗集桝における排水流入管の装入する複数の寸法、形状の装入穴を形成するための切取り線を穿孔したことを特徴とする請求項１記載の粗集バスケット。
【請求項３】
粗集バスケットを直方体に成型するとともに、折畳み溝を刻設したことを特徴とする請求項１および２記載の粗集バスケット。
【請求項４】
底部の寸法に対して開口部における寸法を大きくしてテーパー状に成型したことを特徴とする請求項１および３記載の粗集バスケット。
【発明の詳細な説明】
【０００１】
【発明の属する技術分野】本発明は、粗集桝における排水中に含まれる固形物を収集する粗集バスケットに関するものである。
【０００２】
【従来の技術】家庭の風呂場や台所から排出される雑排水には、毛髪、糸屑、野菜屑その他の固形物が含まれているため、市町村の指導により、家庭からの排水管路の途中に前記固形物を収集する粗集桝を設置することが義務付けられている。
【０００３】かかる粗集桝としては、例えば図４に示すような構造のものが知られている。この粗集桝は地中に埋設されるものであって、桝本体１０の側壁１１の一方に設けられた流入口１２に流入管１３を接続すると共に、桝本体１０の側壁の他方に設けられた流出口１４に排出管１５を接続してなり、前記の排水の流入管１３に、排水中に含まれる固形物を捕集するために、ステンレス等の金網、あるいは、小孔を打抜いて製作された所謂パンチングメタルで籠状に成形された粗集バスケット１６が把手１８によって流入管１３の先端部に掛止されている。なお、１９は粗集桝の開口を閉鎖する蓋である。
【０００４】前述する粗集桝においては、流入管１３から流入した雑排水が粗集バスケット１６を通過するときに、雑排水に含まれる毛髪、糸屑、野菜屑その他の固形物が粗集バスケット１６に捕集され、収集される。
【０００５】ところで、粗集桝の機能を充分に発揮させるためには、粗集バスケット１６の固形物の捕集機能を確保することが重要で、即ち、粗集桝を長期に使用すると前述の固形物は勿論であるが、排水中に含まれる洗剤、あるいは、油脂分が固着し、粗集バスケット１６の網目１７を閉塞し、目詰まりを発生することとなり、比較的早期にその捕集機能を喪失する。
【０００６】このため、市町村では、粗集桝の設置の実効を上げるために１〜２回／月の頻度で粗集バスケット１６を定期的に洗浄し、目詰まりを除去し、粗集機能を回復せしめることを推奨し、指導しているところである。
【０００７】ところで、粗集バスケット１６の清掃に際しては、桝本体１０の底部には汚水が滞留していることから固形物および水の腐敗による悪臭の発生を避けることができず、加えて、粗集バスケット１６の側壁面には前述するとおり洗剤、あるいは、油脂分がヘドロ状に固着していることから、清掃に時間を要することとなり、その清掃作業を嫌悪することとなり、従って、その粗集バスケット１６の清掃もお座なりなものとなり、清掃作業を短時間で終わらんとするために、捕集した固形物を排出管１５中あるいは排水中に投棄し、さらには、桝本体１０に貯留している排水中において粗集バスケット１６を洗浄するなど、折角、捕集した固形物を排水中に流すなど、粗集桝の設置目的に反することをしばしば目撃することとなる。
【０００８】
【発明が解決しようとする課題】本発明は前述する問題を解消すべくなされたもので、粗集桝における粗集バスケットの清掃作業を軽減し、排水中にふくまれる固形物の粗集機能を簡単に回復せしめ得る、使い捨て可能な新規な粗集バスケットを提供することである。
【０００９】
【課題を解決するための手段】上記課題を達成するため、本発明の請求項１に係る粗集バスケットは、耐水性樹脂をコーティングするとともに所要のパンチング孔を穿孔してなる厚紙を、有底の筒状に成型したことを特徴とするものである。
【００１０】次に、本発明の請求項２に係る粗集バスケットは、粗集バスケットの側面に、粗集桝における排水流入管の装入する複数の寸法、形状の装入穴を形成するための切取り線を穿孔したことを特徴とするものである。
【００１１】また、本発明の請求項３に係る粗集バスケットは、粗集バスケットを直方体に成型するとともに、側壁面に折畳み溝を刻設したことを特徴とするものである。
【００１２】さらに、本発明の請求項４に係る粗集バスケットは、底部の寸法に対して開口部における寸法を大きくしてテーパー状に成型したことを特徴とするものである。
【００１３】
【発明の実施の形態】
以下、図面に基づいて本発明の具体的な実施形態を詳述する。
図１は本発明の一実施形態に係る粗集バスケットの側面図、図２は同粗集バスケットの他の側面図、図３は同粗集バスケットの展開図である。
【００１４】図において、１は粗集バスケットを示しており、この粗集バスケット１は厚紙を折曲して有底の円筒状あるいは角筒状の筒状に構成され、その表面（両面）には耐水性を付与するために、原紙の状態で、あるいは、成形後にポリコート樹脂を熱圧着、あるいは、コーティングされて耐水性と強度が付与されてなり、また、この粗集バスケット１には、排水を透過させるために小孔２が側壁３および底部４のそれぞれに穿孔され、上部に粗集バスケット１を排水の流入管に掛止するための把手５が取付穴８に着脱可能に取り付けられている。
【００１５】さらに、図３に基づいて粗集バスケット１の構成について、粗集バスケット１の製作手順の一例について説明するに、粗集バスケット１を筒状に成形した際に、粗集バスケット１に充分な強度を付与するために、図３の展開図に示すように側面を構成する折り曲げ部／接合部１ａ、ならびに、底部４における折り曲げ部／接合部１ｂに対して所定の幅ｗで、厚紙の生地部分をそれぞれ残すように小孔２を穿孔するのが望ましい。
【００１６】さらに、粗集バスケット１の開口部を形成するために、厚紙を折り曲げて２重層とすることにより粗集バスケット１としての形状を保持することができ、従って、当該部分に対しても小孔２を穿孔せずに厚紙の生地部分をそれぞれ残している。
【００１７】また、粗集バスケット１の一部の側壁３には、排水の流入管を受け入れるための開口部を形成するために、適宜の形状・寸法のミシン目６が刻設されており、図示の実施例においては、直径の異なる２種の円６ａ、６ｂと、半円６ｃのミシン目６が刻設されるが、このミシン目６ａ、６ｂ、６ｃを刻設するに際して、粗集バスケット１の強度の低下を防止するために、ミシン目６の両側の適宜幅間隔で小孔２を穿孔せずに、厚紙地を残すのが望ましい。
【００１６】粗集バスケット１を角筒状に成形する場合にあっては、粗集バスケット１の任意の対向する一対の側面に折り込み線７ｃを刻設し、さらに、底部４にも同様に折り込み線７ｄを刻設するのが望ましく、これは、粗集バスケット１を保管しておく場合に、粗集バスケット１を折畳むことを容易にし、これによって収納保管場所をコンパクトになし得る。
【００１７】前述する例においては、粗集バスケット１を角筒状あるいは円筒状に形成するものであるが、上部の開口の寸法を底部４の寸法より若干大きくし、テーパー状に形成することによって粗集バスケット１を積み重ねることが可能となる。
【００１８】図３に示すように、粗集バスケット１の開口を成形する端縁１ａを折り込み７で折り曲げて接着剤で貼着して二つ折りの開口縁とし、次いで、折り込み線７ａの部分で折り曲げて各筒状に成形し、糊付け舌１ｂに接着剤を塗布して側縁を貼着し、さらに、折り込み線７ｂの部分で折り曲げて、糊付け舌１ｃに接着剤を塗布して底部４を貼着して粗集バスケット１を構成する。
【００１９】上述のように構成された粗集バスケット１をその取付穴８に把手５を取付け、把手５によって流入管に掛止して使用するが、竜雲有管の外形寸法に合わせて流入管の進入口を形成するために適応する形状のミシン目６から裂開して開口部を形成し、粗集バスケット１内に流入管の先端が位置するように把手５によって流入管に掛止する。
【００２０】粗集バスケット１に固形物が堆積し、また、小孔２が排水に含まれる洗剤、油脂分の付着によって閉塞を生じた場合に、粗集バスケット１を流入管から取り外し、さらに、粗集バスケット１から把手５を外して廃棄するとともに、把手５を新たな粗集バスケット１の取付穴８に把手５を取付け、流入管に掛止することによって交換を行う。
【００２１】
本発明は上述に尾実施例に限定されるものでなく、本発明の技術思想を逸脱しない範囲において自由に変更を加えうるもので、例えば、上述に実施例においては底部４にも小孔を穿孔したが、底部には小孔を穿孔せず、厚紙のままとすることも可能であり、また、筒状に成形するに際して円筒、角筒は勿論、六画等の多角形とすることも可能であり、その成形についても、公知の成形法が適用し得る。
【００２２】
【発明の効果】
上述の説明から明らかなように、本発明の粗集バスケットによればとなり、粗集バスケットの本体を厚紙で構成することによって、粗集バスケットを固形物を収容したまま廃棄し、粗集バスケットを交換するだけ、換言すれば、使い捨て可能とすることで、清掃作業を省略することが可能となり、悪臭、洗浄という劣悪な作業から解放される。
【図面の簡単な説明】
【図１】本発明に係る粗集バスケットを示す側面図
【図２】本発明に係る粗集バスケットを示す他の側面図
【図３】本発明に係る粗集バスケットの一例を示す展開図
【図４】粗集桝の構成を示す説明図
【符号の説明】
１：粗集バスケット
２：小孔
３：側壁
４：底部
５：把手
６：ミシン目
７：折り込み線
８：取付穴
【図１】
2004124679.tif 000003
【図２】
2004124679.tif 000004
【図３】
2004124679.tif 000005
【図４】
2004124679.tif 000006